(57)【要約】傘布と、当該傘布の下方に偏心配置されるシャフトと、当該シャフトに摺動可能に取り付けられて、上記傘布が折り畳まれる第１の位置と上記傘布が広げられる第２の位置との間を摺動可能なランナと、傘布支持フレームを形成する複数の骨アセンブリとを備え、当該骨アセンブリの各々は、基端部で上記シャフトの頂端部に結合され、先端部で上記傘布に固定されている、非対称傘が提供される。上記傘布を折り畳んだとき、上記骨アセンブリの各々の先端部が同一方向を指し、また、上記傘布を折り畳んだとき、上記複数の骨アセンブリがほぼ均一の長さになる非対称傘も提供される。
2008517709.tif 000002
【特許請求の範囲】
【請求項１】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、先端部で前記傘布に固定される、複数の骨アセンブリと、を備える非対称傘であって、
前記傘布を折り畳んだとき、前記骨アセンブリの各々の先端部は同一方向を指し、
前記傘布を折り畳んだとき、前記複数の骨アセンブリはほぼ同一の長さになる、非対称傘。
【請求項２】
前記シャフトは、取り付け点で前記傘布に取り付けられ、該取り付け点は、該傘布の直径の２分の１を超える点に配置される、請求項１に記載の非対称傘。
【請求項３】
前記シャフトは、取り付け点で前記傘布に取り付けられ、該取り付け点は、該傘布の直径の３分の２を超える点に配置される、請求項１に記載の非対称傘。
【請求項４】
前記複数の骨アセンブリは、
さらに、展開アーム及び基骨を有する少なくとも１つの短親骨アセンブリを有し、該展開アームは前記ランナ及び該基骨に結合され、該基骨は前記シャフトの頂端部及び該展開アームに結合され、
さらに、展開アーム、基骨、四辺形ヒンジジョイント及び先骨を有する少なくとも１つの長親骨アセンブリを有し、該展開アームは前記ランナ及び該基骨に結合され、該基骨は前記シャフトの頂端部及び該四辺形ヒンジジョイントに結合され、該四辺形ジョイントは該基骨及び該先骨に結合される、請求項１に記載の非対称傘。
【請求項５】
前記長親骨アセンブリの少なくとも１つは、前記短親骨アセンブリの長さの少なくとも２倍である、請求項４に記載の非対称傘。
【請求項６】
前記長親骨アセンブリの四辺形ヒンジジョイントは、支持骨及び連結アームをさらに有する、請求項４に記載の非対称傘。
【請求項７】
前記支持骨は、前記連結アームに平行に配置される、請求項６に記載の非対称傘。
【請求項８】
前記短親骨アセンブリの展開アーム、及び前記長親骨アセンブリの展開アームは、ほぼ同一の長さである、請求項４に記載の非対称傘。
【請求項９】
前記短親骨アセンブリの展開アーム及び前記短親骨アセンブリの基骨は、前記シャフトとともに短親骨アセンブリの三角ヒンジジョイントを形成し、
前記長親骨アセンブリの展開アーム及び前記長親骨アセンブリの基骨は、前記シャフトとともに長親骨アセンブリの三角ヒンジジョイントを形成し、
前記短親骨アセンブリの三角ヒンジジョイント及び前記長親骨アセンブリの三角ヒンジジョイントは、同一の角度及び比率を有する、請求項８に記載の非対称傘。
【請求項１０】
前記短親骨アセンブリの展開アームは、前記短親骨アセンブリの基骨の中心点に取り付けられ、前記長親骨アセンブリの展開アームは、前記長親骨アセンブリの基骨の中心点に取り付けられる、請求項４に記載の非対称傘。
【請求項１１】
前記複数の骨アセンブリは、
さらに、展開アーム、四辺形ヒンジジョイント、基骨及び先骨を有する短親骨アセンブリを有し、該展開アームは前記ランナ、該基骨、該四辺形ヒンジジョイント及び該先骨に結合され、該基骨は前記シャフトの頂端部、該展開アーム、及び該四辺形ヒンジジョイントに結合され、
さらに、展開アーム、基骨、第１の四辺形ヒンジジョイント、第１の先骨、第２の四辺形ヒンジジョイント及び第２の先骨を有する長親骨アセンブリを有し、該展開アームは前記ランナ、該基骨、該第１の四辺形ヒンジジョイント及び該第１の先骨に結合され、該基骨は前記シャフトの頂端部、該展開アーム及び該第１の四辺形ヒンジジョイントに結合され、該第１の先骨は該第１の四辺形ヒンジジョイント、該展開アーム及び該第２の四辺形ヒンジジョイントに結合され、該第２の先骨は該第２の四辺形ヒンジジョイントに回動式に結合される、請求項１に記載の非対称傘。
【請求項１２】
前記長親骨アセンブリの少なくとも２つは、前記短親骨アセンブリの長さの２倍を超える、請求項１１に記載の非対称傘。
【請求項１３】
前記長親骨アセンブリの四辺形ヒンジジョイントは、支持骨をさらに有する、請求項１１に記載の非対称傘。
【請求項１４】
前記支持骨は、前記展開アームに平行に配置される、請求項１３に記載の非対称傘。
【請求項１５】
前記短親骨アセンブリの展開アーム、及び前記長親骨アセンブリの展開アームは、ほぼ同一の長さである、請求項１１に記載の非対称傘。
【請求項１６】
前記短親骨アセンブリの展開アーム及び前記短親骨アセンブリの基骨は、前記シャフトとともに短親骨アセンブリの三角ヒンジジョイントを形成し、
前記長親骨アセンブリの展開アーム及び前記長親骨アセンブリの基骨は、前記シャフトとともに長親骨アセンブリの三角ヒンジジョイントを形成し、
前記短親骨アセンブリの三角ヒンジジョイント及び前記長親骨アセンブリの三角ヒンジジョイントは、同一の角度及び比率を有する、請求項１１に記載の非対称傘。
【請求項１７】
前記短親骨アセンブリの展開アームは、前記短親骨アセンブリの中心点に取り付けられ、該長親骨アセンブリの展開アームは、前記長親骨アセンブリの基骨の先骨の先端点に取り付けられる、請求項１１に記載の非対称傘。
【請求項１８】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、先端部で前記傘布に結合される、複数の骨アセンブリと、を備える非対称傘であって、
前記複数の骨アセンブリは、展開アーム及び少なくとも１つの骨を有する少なくとも１つの短親骨アセンブリを有し、該展開アームは前記ランナ及び該少なくとも１つの骨に結合され、該少なくとも１つの骨は前記シャフトの頂端部及び該展開アームに結合され、
さらに、前記複数の骨アセンブリは、展開アーム、基骨及び先骨を有する少なくとも１つの長親骨アセンブリを有し、該展開アームは前記ランナ及び該基骨に結合され、該基骨は一端部で前記シャフトの頂端部に結合され、別の端部で該先骨に結合され、
前記傘布を折り畳んだとき、前記骨アセンブリの各々の先端部は同一方向を指す、非対称傘。
【請求項１９】
前記傘布を折り畳んだとき、前記複数の骨アセンブリはほぼ均一の長さになる、請求項１８に記載の非対称傘。
【請求項２０】
前記少なくとも１つの長親骨アセンブリの先骨は、前記基骨に回動式に連結される、請求項１８に記載の非対称傘。
【請求項２１】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、自由端部で前記傘布に固定される、複数の骨アセンブリと、を備える非対称傘であって、
前記複数の骨アセンブリは、展開アーム、基骨及び先骨を有する少なくとも１つの短親骨アセンブリを有し、該展開アームは前記ランナ及び該基骨に結合され、該基骨は前記シャフトの頂端部、該展開アーム及び該先骨に結合され、
前記複数の骨アセンブリは、各々が展開アーム、基骨、四辺形ヒンジジョイント及び先骨を有する少なくとも２つの長親骨アセンブリを有し、該展開アームは前記ランナ及び該基骨に結合され、該基骨は前記シャフトの頂端部及び該四辺形ヒンジジョイントに結合され、該四辺形ヒンジジョイントは該基骨及び該先骨に結合され、
前記傘布を折り畳んだとき、前記骨アセンブリの各々の先端部は同一方向を指し、
前記傘布を折り畳んだとき、前記複数の骨アセンブリの自由端部はほぼ同一の長さになる、非対称傘。
【請求項２２】
前記傘布を広げたとき、該傘布は、前記短親骨アセンブリの先骨及び前記長親骨アセンブリの先骨が曲がるのを助け、それにより、前記傘布が水平面から離れる角度が増加する、請求項２１に記載の非対称傘。
【請求項２３】
前記長親骨の先骨及び前記短親骨の先骨は、前記基骨及び前記展開アームよりたわみ性が高い材料で形成される、請求項２１に記載の非対称傘。
【発明の詳細な説明】
【技術分野】
【０００１】
［発明の分野］
［発明の背景］
本発明は、傘に関する。さらに詳しく言うと、本発明は、中心から外れたシャフトを有する非対称傘に関する。
【背景技術】
【０００２】
［従来技術の説明］
傘は従来より、中央シャフトを有し、それから同一の長さの複数の骨が回動式に取り付けられている。骨は放射状に外向きに延在して、傘布（canopy）を支持する対称フレームを形成している。中央シャフトを有する従来型傘の欠点は、それが傘布空間を分割して、使用者を傘布の周辺部へ強制的に移動させることである。この移動のため、従来型傘は、保護が不十分であり、使用者の体側及び背中が風雨にさらされる。さらに、特に大型の傘の未使用の傘布空間は、混雑した歩道を歩くことを困難にする。
【０００３】
非対称傘が既知である。非対称傘は、中心から外れたシャフトを与え、それにより、使用者が傘布の中心の下に立つことができ、それにより、風雨からの保護を向上させる。たとえば、Kidaの米国特許第４，４７４，２０１号及び同第４，４７４，２００号は、楕円型傘布及び非対称配置されるシャフトを有する傘を開示している。しかしながら、Kidaの引例によって開示されている非対称傘は、従来の傘布より機能的に劣る傘布を有する。具体的に言うと、Kidaの傘布は、フレームが閉じた位置にあるとき、フレームの周りに締まりがなく見苦しく束ねられる。
【０００４】
Goudarziの国際公開特許第９９４４４５８号は、傘が閉じた位置にあるとき、等しい長さの骨を有する非対称傘を開示している。Goudarziの構造は、傘が閉じた位置にあるとき、長親骨の先骨の幾本かが、逆折りで（in a inverted fold）上向きに折れ曲がる一方、幾本かの短親骨は下向きになるので、従来の傘より機能的に劣る。逆折りは構造的に弱く、開いた位置にあるとき、傘布を完全に広げるのに不十分である。さらに、Goudarziの傘が閉じた位置にあるとき、上向きに折れ曲がった長い先骨が露出する。上向きに折れ曲がって露出した長い先骨は見苦しく、また損傷を受けやすい。
【０００５】
Gaoの米国特許第５，５０５，２２１号は、可変長さの伸縮展開アームを有する非対称傘を開示している。Gaoの傘も、従来の傘より劣っている。伸縮部材は、曲げ及び破損を容易に受けやすく、それにより、傘を作動不能にするので、伸縮展開アームは傘の全体構造を弱くする。さらに、Gaoの傘は、シャフトを偏らせるために漸変長さの先骨を有して、開いた時に円形の傘布形状を維持する。したがって、Gaoの傘が閉じた位置にあるとき、先骨の終端が不揃いになり、結果的に不格好な外観になる。
【０００６】
当該技術分野において既知の非対称傘は、使用性能及び収納性の点で不都合であった。欠点は、傘を閉じたときに最も明らかであり、不揃いの先骨長さを示し、その一部は上向き及び下向きになり、或いは伸縮式の摺動可能な骨は、製造コストが高いとともに破損しやすいだけでなく、傘布が見苦しく束ねられる。
【０００７】
したがって、傘布を折り畳んだときに同一方向を指す先端部を有する改良型の非対称傘が必要とされている。さらに、傘布を折り畳んだときにほぼ均一の長さの骨アセンブリを有する非対称傘が必要とされている。
【発明の開示】
【発明が解決しようとする課題】
【０００８】
［発明の概要］
本発明の目的は、非対称傘を提供することである。
【０００９】
本発明の別の目的は、傘布と、当該傘布の下方に偏心配置されるシャフトと、当該シャフトに摺動可能に取り付けられて、第１の位置間を摺動可能なランナとを備える非対称傘を提供することである。
【００１０】
本発明のさらに別の目的は、上記傘布を折り畳んだとき、上記骨アセンブリの各々の先端部が同一方向を指す非対称傘を提供することである。
【００１１】
本発明のさらなる目的は、上記傘布を折り畳んだとき、複数の骨アセンブリがほぼ均一の長さになる非対称傘を提供することである。
【００１２】
本発明のさらに別の目的は、従来のコンパクトな傘と同様に容易且つ均一に開閉される非対称傘を提供することである。
【課題を解決するための手段】
【００１３】
本発明の上記及び他の目的及び利点は、傘布と、当該傘布の下方に偏心配置されるシャフトと、当該シャフトに摺動可能に取り付けられて、上記傘布が折り畳まれる第１の位置と上記傘布が広げられる第２の位置との間を摺動可能なランナと、傘布支持フレームを形成する複数の骨アセンブリであって、当該骨アセンブリの各々は、基端部で上記シャフトの頂端部に結合され、先端部で上記傘布に固定された、複数の骨アセンブリとを備える非対称傘であって、上記傘布を折り畳んだとき、上記骨アセンブリの各々の先端部が同一方向を指し、また、上記傘布を折り畳んだとき、上記複数の骨アセンブリがほぼ均一の長さになる、非対称傘によって達成される。
【００１４】
本発明の上記及び他の目的、利点及び恩恵は、以下の詳細な説明及び添付図面を参照することによって理解されるであろう。
【発明を実施するための最良の形態】
【００１５】
［好適な実施形態の説明］
図面、特に図１を参照すると、全体的に符号１０で表される本発明による非対称傘の第１の実施形態が設けられている。傘１０は、シャフト２０と、摺動式ランナ７５と、傘布２５と、傘布支持フレーム１５とを有する。シャフト２０は好ましくは、傘布２５の下方に偏心配置されている。摺動式ランナ７５は、シャフト２０に移動可能に取り付けられて、図３Ａに示されているように、上記傘布が折り畳まれる第１の位置と、図２Ｃ、図３Ｂ及び図３Ｃに示されているように、上記傘布が広げられる第２の位置との間を摺動可能である。
【００１６】
再び図１を参照すると、支持フレーム１５は、複数の骨アセンブリを備える。支持フレーム１５は好ましくは、少なくとも１つの短親骨アセンブリ３５と、少なくとも１つの長親骨アセンブリ３０とを有する。短親骨アセンブリ３５及び長親骨アセンブリ３０の各々は、基端部でシャフト２０の頂端部８０に連結され、また先端部で傘布２５に固定されている。好適な実施形態において、支持フレーム１５は４つの短親骨アセンブリ３５及び４つの長親骨アセンブリ３０を有する。さらに好ましくは、長親骨アセンブリ３０の少なくとも２つが、短親骨３５の長さの２倍より大きい。短親骨アセンブリ３５及び長親骨アセンブリ３０は、傘布２５を滑らか且つ連続した動きで広がり位置へ引き上げ、また傘布２５を滑らか且つ連続した動きで折り畳み位置へ下げる働きをする。当該技術分野では既知の任意の継手手段を用いることができるが、短親骨アセンブリ３５及び長親骨アセンブリ３０のすべての継手が旋回継手であり、それにより、支持フレーム１５の滑らかな機能を可能にすることが好ましい。
【００１７】
図３ａ及び図４ａに示されているように、傘布２５が折り畳み位置にあるとき、短親骨アセンブリ３５及び長親骨アセンブリ３０の各々の先端部は、同一方向に向く。好ましくは、傘布２５が折り畳み位置にあるとき、短親骨アセンブリ３５及び長親骨アセンブリ３０の各々の先端部は下向きになる。さらに好ましくは、傘布２５が折り畳み位置にあるとき、短親骨アセンブリ３５及び長親骨アセンブリ３０の各々の先端部がほぼ均一の長さであり、それにより、通常の傘の外観を維持する。
【００１８】
図１及び図２Ａを参照すると、短親骨アセンブリ３５は、展開アーム７２及び基骨４０を有する。展開アーム７２は、その第１の端部でランナ７５に結合され、その第２の端部で基骨４０に結合されている。基骨４０は、ジョイント１０５でシャフト２０の頂端部８０に、また当該技術分野では既知の任意の適当な手段によって展開アーム７２に結合されている。基骨４０は、傘布２５に固定的に取り付けられている。ジョイント１０５は好ましくは、旋回連結部である。任意選択であるが、短親骨アセンブリ３５は、基骨４０に連結された短い先骨４５（図示せず）を有してもよい。当該技術分野では既知の任意の継手手段を用いることができるが、短親骨アセンブリ３５及び長親骨アセンブリ３０のすべての継手が旋回継手であることが好ましい。
【００１９】
図１及び図２Ｂを参照すると、長親骨アセンブリ３０は、展開アーム７０と、基骨５０と、ヒンジジョイント８５と、先骨６５とを有する。展開アーム７０は、摺動式ランナ７５と基骨５０とに結合されている。基骨５０は、ジョイント１０６でシャフト２０の頂端部８０に結合され、ジョイント１１０でヒンジジョイント８５に結合されている。ヒンジジョイント８５は、基骨５０及び先骨６５に結合されている。ヒンジジョイント８５は、ジョイント１１５で先骨６５に結合されている。先骨６５は、傘布２５に固定的に取り付けられている。ヒンジジョイント８５は好ましくは、連結アーム８及び支持骨７を有する四辺形ヒンジジョイントである。連結アーム８は好ましくは、支持骨７に対して平行な関係に配置される。当該技術分野では既知の任意の継手手段を用いることができるが、短親骨アセンブリ３５及び長親骨アセンブリ３０のすべての継手が旋回継手であることが好ましい。
【００２０】
長親骨アセンブリ３０を有する支持フレーム１５の構造により、細長い傘布２５を提供することができ、基骨５０、連結アーム８及び支持骨７の長さは、先骨６５より短い。
【００２１】
展開アーム７０及び７２は、同一の長さであることが好ましい。展開アーム７０は好ましくは、基骨５０に回動式に連結され、それにより、ジョイント１２５を形成している。ジョイント１２５は好ましくは、旋回連結部であり、好ましくは基骨５０に沿ってその中点に配置されている。展開アーム７２は好ましくは、基骨４０に回動式に連結され、それにより、ジョイント１３０を形成している。ジョイント１３０は好ましくは、旋回連結部であり、好ましくは基骨４０に沿ってその中点に配置されている。ジョイント１２５及び１３０は好ましくは対称的に位置付けられ、それにより、基骨５０と展開アーム７０との間、及び基骨３５と展開アーム７２との間に等しい三角展開ヒンジを形成している。
【００２２】
ジョイント１０５と１３０との間の距離は好ましくは、ジョイント１０６とジョイント１１５との間の距離の半分より短い。したがって、シャフト２０は、傘布２５の直径の２分の１を越える位置で傘布２５の下方に配置される。より好ましくは、シャフト２０は、傘布２５の直径の３分の２を越える位置で傘布の下方に配置される。図２Ｄ、図２Ｅ、図２Ｆ及び図２Ｇに示されているように、偏らせたシャフト２０により、使用者は傘布２５の中心の真下に位置することができ、それにより、より均一に傘布で覆うことができ、風雨からの保護が改善される。また、傘布２５の、ジョイント１０６と１１５との間の空間が大きいことは、傘１０を開閉するときの先骨４０の先端とジョイント１１５との間の張力を緩和する作用を有する。したがって、傘布２５の開閉位置間の滑らかな折り畳み動作が達成される。
【００２３】
図２Ｃを参照すると、傘布２５は、短親骨アセンブリ３５及び長親骨アセンブリ３０が曲がるのを助け、それにより、傘１０が開いた位置にあるとき、傘布２５が水平面から離れる角度が増加する。傘布２５は、短親骨アセンブリ３５及び長親骨アセンブリ３０の先端部を積極的に曲げ、それにより、傘布２５を開いたとき、水平面からの傘布２５の仰角が増加する。短親骨アセンブリ３５及び長親骨アセンブリ３０の先端部の屈曲は好ましくは、それらの通常位置から約２０度である。傘布２５及び水平面が成す角度は、好ましくは約８度である。傘布２５及び水平面が成す角度は、使用者の風雨からの保護を向上させる。
【００２４】
図４Ａ、図４Ｂ及び図４Ｃに示されているように、先骨６５及び先骨４０に延長部分を追加することにより、従来の長傘に外観が似た傘を提供することができることに注目すべきである。
【００２５】
図５Ａ、図５Ｂ、図５Ｃ及び図６に参照符号１１で表される本発明の代替実施形態は、閉じた位置にあるときに相当にコンパクトになる、普通サイズの傘布を有する傘を提供している。図６を参照すると、最初に記載した実施形態に構造的及び機能的に似た傘１１は、シャフト２０と、摺動式ランナ７５と、傘布２５と、傘布支持フレーム１５とを有する。シャフト２０は好ましくは、傘布２５の下方に偏心配置されている。摺動式ランナ７５は、シャフト２０に移動可能に取り付けられて、図５Ａに示されているように、上記傘布が折り畳まれる第１の位置と、図５Ｂ及び図５Ｃに示されているように、上記傘布が広げられる第２の位置との間を摺動可能である。
【００２６】
最初に記載した実施形態と同様に、傘１１は支持フレーム１５を有し、これは複数の骨アセンブリを備える。支持フレーム１５は好ましくは、少なくとも１つの短親骨アセンブリ３５と、少なくとも１つの長親骨アセンブリ３０とを有する。短親骨アセンブリ３５及び長親骨アセンブリ３０の各々は、基端部でシャフト２０の頂端部８０に連結され、また先端部で傘布２５に固定されている。
【００２７】
図５ａに示されているように、上記実施形態の場合のように、傘布２５が折り畳み位置にあるとき、短親骨アセンブリ３５及び長親骨アセンブリ３０の各々の先端部は同一方向を指す。好ましくは、傘布２５が折り畳み位置にあるとき、短親骨アセンブリ３５及び長親骨アセンブリ３０の各々の先端部は、下向きになる。さらに好ましくは、傘布２５が折り畳み位置にあるとき、短親骨アセンブリ３５及び長親骨アセンブリ３０の各々の先端部がほぼ均一の長さであり、それにより、通常の傘の外観を維持する。
【００２８】
傘１１のよりコンパクトな傘布支持フレーム１５は、各短親骨アセンブリ３５用の２骨構造と、各長親骨アセンブリ３０用の４骨構造とを与える。傘１１のすべての骨は、上記実施形態の骨より比例的に短い一方、展開アーム７０及び７２は、上記実施形態の骨より比例的に長い。
【００２９】
再び図６を参照すると、短親骨アセンブリ３５は、展開アーム７２と、基骨４０と、支持骨７と、先骨１８０とを有する。展開アーム７２は、その第１の端部でランナ７５に結合され、その先端部で先骨１８０に結合されている。基骨４０は、ジョイント１０５でシャフト２０の頂端部８０に、また展開アーム７２のほぼ中点に、また支持骨７に結合されている。支持骨７は、展開アーム７２の一部分に沿って且つ展開アーム７２に平行に延在している。支持骨７及び展開アーム７２は、それらの先端部で先骨１８０に結合されている。支持骨７及び展開アーム７２は、ヒンジジョイント８５を形成している。ヒンジジョイント８５は好ましくは、四辺形ヒンジジョイントである。基骨１８０は、傘布２５に固定的に取り付けられている。当該技術分野では既知の任意の継手手段を用いることができるが、短親骨アセンブリ３５及び長親骨アセンブリ３０のすべての継手が旋回継手であることが好ましい。
【００３０】
長親骨アセンブリ３０は、展開アーム７０と、基骨５０と、第１のヒンジジョイント８５と、短尺先骨１９０と、第２のヒンジジョイント８５’と、先骨６５とを有する。展開アーム７０は、その第１の端部で摺動式ランナ７５に結合され、その先端部で短尺先骨１９０に結合されている。基骨５０は、ジョイント１０６でシャフト２０の頂端部８０に、また展開アーム７０のほぼ中点に、またジョイント１１０で支持骨７に結合されている。支持骨７は、展開アーム７０の一部分に沿って且つ展開アーム７０に平行に延在している。支持骨７及び展開アーム７０は、それらの先端部で、短尺先骨１９０の基端部に結合されて、ジョイント１２５を形成している。短い先骨７及び展開アーム７０は、ヒンジジョイント８５を形成している。ヒンジジョイント８５は好ましくは、四辺形ヒンジジョイントである。短尺先骨１９０は、その先端部で第２のヒンジジョイント８５’に結合されて、ジョイント１２０を形成している。ヒンジジョイント８５’は好ましくは、連結アーム８及び支持骨７’を有する四辺形ヒンジジョイントである。連結アーム８は好ましくは、支持骨７’に対して平行な関係に配置される。基骨６５は、その基端部で第２のヒンジジョイント８５’に結合されて、ジョイント１１５を形成している。基骨６５は、傘布２５に固定的に取り付けられている。当該技術分野では既知の任意の継手手段を用いることができるが、短親骨アセンブリ３５及び長親骨アセンブリ３０のすべての継手が旋回継手であることが好ましい。
【００３１】
シャフト２０が、傘布２５の直径の３分の２を越えた位置に確実に配置されるようにするため、基骨６５の長さを約３分の１だけ短くする。第２のヒンジジョイント８５’の連結アーム８及び支持骨７’も同様に、ほぼ基骨６５の長さまで短くされている。
【００３２】
本発明の好適な実施形態では、先骨６５及び先骨１８０は好ましくは、骨アセンブリ１５のその他の骨の材料より軽量の材料で形成される。先骨６５及び先骨１８０の軽量材料は、骨アセンブリ１５により大きいたわみ性を与える。
【００３３】
本発明のすべての実施形態は、手動又は自動の開き機構を用いることができる。
【００３４】
本発明を、その好適な形を特に参照しながらこのように説明してきたが、添付の特許請求の範囲によって規定されるような本発明の精神及び範囲から逸脱しない限り、さまざまな変化及び修正をそれに加えることができることは明らかであろう。
【図面の簡単な説明】
【００３５】
【図１】本発明の非対称傘の第１の実施形態の断面図である。
【図２Ａ】図１に示される本発明の非対称傘の第１の実施形態の短親骨の断面図である。
【図２Ｂ】図１に示される本発明の非対称傘の第１の実施形態の長親骨の断面図である。
【図２Ｃ】図１の非対称傘の傾斜した傘布を示す断面図である。
【図２Ｄ】図１の非対称傘の前部斜視図である。
【図２Ｅ】図１の非対称傘の側部斜視図である。
【図２Ｆ】図１の非対称傘の後部斜視図である。
【図２Ｇ】図１の非対称傘の上面図である。
【図３Ａ】図１に示される非対称傘の第１の実施形態の、閉じた位置での断面図である。
【図３Ｂ】図１に示される非対称傘の第１の実施形態の、開いた位置での断面図である。
【図３Ｃ】図１に示される非対称傘の第１の実施形態の、開いた位置での側部斜視図である。
【図４Ａ】本発明の非対称傘の第２の実施形態の、閉じた位置での断面図である。
【図４Ｂ】本発明の非対称傘の第２の実施形態の、開いた位置での断面図である。
【図４Ｃ】本発明の非対称傘の第２の実施形態の、開いた位置での側部斜視図である。
【図５Ａ】本発明の非対称傘の第３の実施形態の、閉じた位置での断面図である。
【図５Ｂ】本発明の非対称傘の第３の実施形態の、開いた位置での断面図である。
【図５Ｃ】本発明の非対称傘の第３の実施形態の、開いた位置での側部斜視図である。
【図６】本発明の非対称傘の第３の実施形態の、開いた位置での断面図である。
【図１】
2008517709.tif 000003
【図２Ａ】
2008517709.tif 000004
【図２Ｂ】
2008517709.tif 000005
【図２Ｃ】
2008517709.tif 000006
【図２Ｄ】
2008517709.tif 000007
【図２Ｅ】
2008517709.tif 000008
【図２Ｆ】
2008517709.tif 000009
【図２Ｇ】
2008517709.tif 000010
【図３Ａ】
2008517709.tif 000011
【図３Ｂ】
2008517709.tif 000012
【図３Ｃ】
2008517709.tif 000013
【図４Ａ】
2008517709.tif 000014
【図４Ｂ】
2008517709.tif 000015
【図４Ｃ】
2008517709.tif 000016
【図５Ａ】
2008517709.tif 000017
【図５Ｂ】
2008517709.tif 000018
【図５Ｃ】
2008517709.tif 000019
【図６】
2008517709.tif 000020
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、先端部で前記傘布に固定される、複数の骨アセンブリと、を備える非対称傘であって、
前記傘布を折り畳んだとき、前記骨アセンブリの各々の先端部は、同一方向を指し、
前記複数の骨アセンブリは、短親骨アセンブリ及び長親骨アセンブリを有し、
前記短親骨アセンブリは、展開アーム及び基骨を有し、該展開アームは前記ランナ及び該基骨に結合され、該基骨は前記シャフトの頂端部及び該展開アームに結合され、
前記長親骨アセンブリは、展開アーム、基骨、ヒンジジョイント及び先骨を有し、該展開アームは前記ランナ及び該基骨に結合され、該基骨は前記シャフトの頂端部及び該ヒンジジョイントに結合され、該ヒンジジョイントは該基骨及び該先骨に結合され、
前記短親骨アセンブリの展開アーム及び前記長親骨アセンブリの展開アームは、ほぼ同一の長さである、非対称傘。
【請求項２】
前記傘布を折り畳んだとき、前記複数の骨アセンブリはほぼ均一の長さになる、請求項１に記載の非対称傘。
【請求項３】
前記シャフトは、取り付け点で前記傘布に取り付けられ、該取り付け点は、該傘布の最も幅広の点における長さの２分の１を超える点に配置される、請求項１に記載の非対称傘。
【請求項４】
前記シャフトは、取り付け点で前記傘布に取り付けられ、該取り付け点は、該傘布の最も幅広の点における長さの３分の２を超える点に配置される、請求項１に記載の非対称傘。
【請求項５】
前記長親骨アセンブリは、前記短親骨アセンブリの長さの少なくとも２倍である、請求項１に記載の非対称傘。
【請求項６】
前記長親骨アセンブリのヒンジジョイントは、支持骨及び連結アームを有する、請求項１に記載の非対称傘。
【請求項７】
前記支持骨は、前記連結アームに平行に配置される、請求項６に記載の非対称傘。
【請求項８】
前記短親骨アセンブリの展開アーム及び前記短親骨アセンブリの基骨は、前記シャフトとともに短親骨アセンブリの三角ヒンジジョイントを形成し、
前記長親骨アセンブリの展開アーム及び前記長親骨アセンブリの基骨は、前記シャフトとともに長親骨アセンブリの三角ヒンジジョイントを形成し、
前記短親骨アセンブリの三角ヒンジジョイント及び前記長親骨アセンブリの三角ヒンジジョイントは、ほぼ同一の角度及び比率を有する、請求項１に記載の非対称傘。
【請求項９】
前記短親骨アセンブリの展開アームは、前記短親骨アセンブリの基骨のほぼ中心点に取り付けられ、前記長親骨アセンブリの展開アームは、前記長親骨アセンブリの基骨のほぼ中心点に取り付けられる、請求項１に記載の非対称傘。
【請求項１０】
前記ヒンジジョイントは、四辺形ヒンジジョイントである、請求項１に記載の非対称傘。
【請求項１１】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、先端部で前記傘布に固定される、複数の骨アセンブリと、を備える非対称傘であって、
前記傘布を折り畳んだとき、前記骨アセンブリの各々の先端部は同一方向を指し、
前記複数の骨アセンブリは、展開アーム、ヒンジジョイント、基骨及び先骨を有する短親骨アセンブリを有し、該展開アームは前記ランナ、該基骨、該ヒンジジョイント及び該先骨に結合され、該基骨は前記シャフトの頂端部、該展開アーム及び該ヒンジジョイントに結合され、
さらに、前記複数の骨アセンブリは、展開アーム、基骨、第１のヒンジジョイント、第１の先骨、第２のヒンジジョイント及び第２の先骨を有する長親骨アセンブリを有し、該展開アームは前記ランナ、該基骨、該第１のヒンジジョイント及び該第１の先骨に結合され、該基骨は前記シャフトの頂端部、該展開アーム及び該第１のヒンジジョイントに結合され、該第１の先骨は該第１のヒンジジョイント、該展開アーム及び該第２のヒンジジョイントに結合され、該第２の先骨は、該第２のヒンジジョイントに回動式に結合される、非対称傘。
【請求項１２】
前記傘布を折り畳んだとき、前記複数の骨アセンブリはほぼ均一の長さになる、請求項１１に記載の非対称傘。
【請求項１３】
前記長親骨アセンブリは、前記短親骨アセンブリの長さの２倍を超える、請求項１１に記載の非対称傘。
【請求項１４】
前記第１の長親骨アセンブリのヒンジジョイント及び前記短親骨アセンブリのヒンジジョイントの各々は、支持骨をさらに有する、請求項１１に記載の非対称傘。
【請求項１５】
各支持骨は、その対応する骨アセンブリ内において、前記展開アームに平行に配置される、請求項１４に記載の非対称傘。
【請求項１６】
前記短親骨アセンブリの展開アーム及び前記長親骨アセンブリの展開アームは、ほぼ同一の長さである、請求項１１に記載の非対称傘。
【請求項１７】
前記短親骨アセンブリの展開アーム及び前記短親骨アセンブリの基骨は、前記シャフトとともに短親骨アセンブリの三角ヒンジジョイントを形成し、
前記長親骨アセンブリの展開アーム及び前記長親骨アセンブリの基骨は、前記シャフトとともに長親骨アセンブリの三角ヒンジジョイントを形成し、
前記短親骨アセンブリの三角ヒンジジョイント及び前記長親骨アセンブリの三角ヒンジジョイントは、ほぼ同一の角度及び比率を有する、請求項１１に記載の非対称傘。
【請求項１８】
前記短親骨アセンブリの基骨は、前記短親骨アセンブリの展開アームのほぼ中心点に取り付けられ、前記長親骨アセンブリの基骨は、前記長親骨アセンブリの展開アームのほぼ中心点に取り付けられる、請求項１１に記載の非対称傘。
【請求項１９】
前記短親骨アセンブリのヒンジジョイント及び前記長親骨アセンブリのヒンジジョイントは、四辺形ヒンジジョイントである、請求項１１に記載の非対称傘。
【請求項２０】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、先端部で前記傘布に結合される、複数の骨アセンブリと、を備える非対称傘であって、
前記複数の骨アセンブリは、展開アーム及び骨を有する短親骨アセンブリを有し、該展開アームは前記ランナ及び該骨に結合され、該骨は前記シャフトの頂端部及び該展開アームに結合され、
さらに、前記複数の骨アセンブリは、展開アーム、基骨、連結アーム及び先骨を有する長親骨アセンブリを有し、該展開アームは前記ランナ及び該基骨に結合され、該基骨は一端部で前記シャフトの頂端部に結合されると共に別の端部で該連結アームに結合され、該連結アームは該基骨及び該先骨に結合され、
前記傘布を折り畳んだとき、前記複数の骨アセンブリの各々の先端部は同一方向を指し、
前記短親骨アセンブリの展開アーム及び前記長親骨アセンブリの展開アームは、ほぼ同一の長さである、非対称傘。
【請求項２１】
前記傘布を折り畳んだとき、前記複数の骨アセンブリはほぼ均一の長さになる、請求項２０に記載の非対称傘。
【請求項２２】
前記長親骨アセンブリの先骨は、前記連結アームに回動式に連結される、請求項２０に記載の非対称傘。
【請求項２３】
傘布と、
前記傘布の下方に偏心配置されるシャフトと、
前記シャフトに摺動可能に取り付けられて、前記傘布が折り畳まれる第１の位置と該傘布が広げられる第２の位置との間を摺動可能なランナと、
傘布支持フレームを形成する複数の骨アセンブリであって、該骨アセンブリの各々は、基端部で前記シャフトの頂端部に結合され、先端部で前記傘布に固定される、複数の骨アセンブリと、を備える非対称傘であって、
前記複数の骨アセンブリは、展開アーム、基骨及び先骨を有する短親骨アセンブリを有し、該展開アームは前記ランナ、該基骨及び該先骨に結合され、該基骨は前記シャフトの頂端部及び該展開アームに結合され、
さらに、前記複数の骨アセンブリは、展開アーム、基骨、第１の先骨、連結アーム及び第２の先骨を有する長親骨アセンブリを有し、該展開アームは前記ランナ、該基骨及び該第１の先骨に結合され、該基骨は前記シャフトの頂端部及び該展開アームに結合され、該第１の先骨は該展開アーム及び該連結アームに結合され、該第２の先骨は該連結アームに結合され、
前記傘布を折り畳んだとき、前記骨アセンブリの各々の先端部は同一方向を指し
前記短親骨アセンブリの展開アーム及び前記長親骨アセンブリの展開アームは、ほぼ同一の長さである、非対称傘。
【請求項２４】
前記傘布を折り畳んだとき、前記複数の骨アセンブリはほぼ均一の長さになる、請求項２３に記載の非対称傘。
【請求項２５】
前記傘布を広げたとき、該傘布は、前記短親骨アセンブリの先骨及び前記長親骨アセンブリの先骨が曲がるのを助け、それにより、前記傘布が水平面から離れる角度が増加する、請求項２３に記載の非対称傘。
【請求項２６】
前記長親骨の先骨及び前記短親骨の先骨は、前記基骨及び前記展開アームよりたわみ性が高い材料で形成される、請求項２３に記載の非対称傘。
【国際調査報告】
2008517709.tif 000021